(57)【特許請求の範囲】
【請求項１】
プレスのプレス本体に対しスライドをロック解除可能にロックして、スライドの下降移動を規制する為のスライドロック装置において、
プレス本体側に固定されるロック装置本体と、
前記ロック装置本体に挿通状に配設され鉛直に延びるスクリューシャフトと、
前記スクリューシャフトの下端部に設けられ、スクリューシャフトが非係止位置のときにスライド側に形成された係止部の係止孔を挿通可能で且つスクリューシャフトが非係止位置から所定角度回転した係止位置のときに係止部を係止する係止部材と、
前記ロック装置本体に回転自在に装着されスクリューシャフトに螺合されたナット部材と、ナット部材を回転駆動する回転駆動手段とを有し、スクリューシャフトを昇降駆動するための昇降駆動機構と、
前記係止部材が係止位置にあるとき、前記スクリューシャフト下降方向への前記ナット部材の回転開始時にナット部材の回転力によりスクリューシャフトを前記所定角度回動させて前記係止部材を非係止位置へ回転させると共に、前記係止部材が非係止位置にあるとき、前記スクリューシャフト上昇方向への前記ナット部材の回転開始時にナット部材の回転力によりスクリューシャフトを前記所定角度回動させて前記係止部材を係止位置へ回転させるツイスト機構と、
を備えたことを特徴とするプレスのスライドロック装置。
【請求項２】
前記ツイスト機構は、スクリューシャフトの外周面に軸方向向きに形成されたストレートのキー溝と、このキー溝に摺動自在に係合するとともにロック装置本体に相対回動可能に支持されたキー部材と、ロック装置本体に設けられキー部材の前記所定角度以上の回転を規制する回転規制部とを備えたことを特徴とする請求項１に記載のプレスのスライドロック装置。
【請求項３】
前記ロック装置本体にナット部材を回転自在に支持するラジアルベアリングと、ラジアルベアリングのアウタレースを上方へ付勢する付勢部材とを設け、前記付勢部材による付勢を介してインナレースをロック装置本体から僅かに浮上させてナット部材へ当接させたことを特徴とする請求項２に記載のプレスのスライドロック装置。
【請求項４】
前記スクリューシャフトと係止部材との連結部に、その連結部を所定荷重以上で破断させる破断促進部を設けたことを特徴とする請求項３に記載のプレスのスライドロック装置。
【発明の詳細な説明】
【０００１】
【発明の属する技術分野】
本発明は、プレスのプレス本体に対しスライドをロック解除可能にロックして、スライドの下降移動を規制する為のスライドロック装置関し、特に、スクリューシャフトを回動させる為のツイスト機構を改善したものに関する。
【０００２】
【従来の技術】
従来、プレスの金型を補修する際や金型を交換する際等に、プレス本体に対しスライドをロック解除可能にロックして、スライドの下降移動を規制する種々のスライドロック装置が実用化されている。
スライドロック装置は、ロック装置本体、ロック装置本体に挿通状に配設され先端部に係止部材が装着された鉛直に延びるスクリューシャフト、スクリューシャフトを昇降駆動する為の昇降駆動機構、スクリューシャフトを９０度回動させるツイスト機構を有し、スライド側に形成された係止部の係止孔に係止部材を挿通させ、スクリューシャフトを９０度回動させて係止部を係止部材で係止し、プレス本体に対しスライドをロックするように構成されている。一般に、昇降駆動機構は、ロック装置本体に回転自在に装着されスクリューシャフトに螺合されたナット部材、ナット部材を回転駆動する回転駆動手段等で構成され、ツイスト機構には種々のものが適用されている。
【０００３】
例えば、図９のスライドロック装置１００においては、駆動モータ１０２、ギヤ１０３〜１０５、ナット部材１０６を有する昇降駆動機構１０１により、係止部材１０８を装着したスクリューシャフト１０７が昇降駆動されるが、ツイスト機構１１０においては、スクリューシャフト１０７に対しその昇降に相対移動可能で且つ相対回転不能のリング部材１１１を有し、駆動モータ１１２によりギヤ１１３〜１１５を介して、リング部材１１１とともにスクリューシャフト１０７を回動させるように構成してある。しかし、スライドロック装置１００においては、スクリューシャフト１０７を昇降駆動する駆動モータ１０２とスクリューシャフト１０７を回動する駆動モータ１１２の２台のモータを装着する関係上、装置が大型化するとともにその製作コストが非常に高価になる。
【０００４】
一方、図１０のスライドロック装置１２０において、昇降駆動機構１２１は、駆動モータ１２２、ギヤ１２３〜１２５、ナット部材１２６を有し、ナット部材１２６を回動させることで、係止部材１２８が設けられたスクリューシャフト１２７を昇降すように構成されているが、ツイスト機構１３０においては、スクリューシャフト１２７の外周面に形成された螺旋溝１３１ａと直線溝１３１ｂからなるツイスト用係合溝１３１と、このツイスト用係合溝１３１に係合しロック装置本体１３２に固定的に設けられた係合ピン１３３を有し、昇降駆動機構１２１によりスクリューシャフト１２７が昇降されると、係合ピン１３３の螺旋溝１３１ａへの係合を介して、スクリューシャフト１２７が回動されるように構成してある。
【０００５】
【発明が解決しようとする課題】
しかし、図１０のスライドロック装置１２０のツイスト機構１３０においては、スクリューシャフト１２７を昇降することで、係合ピン１３３のツイスト用係合溝１３１への係合を介して回動させるように構成してあるので、螺旋溝１３１ａに係合ピン１３３が係合するスクリューシャフト１２７の所定の昇降位置でしか、スクリューシャフト１２７を回動させることができず、スライドを任意の昇降位置でロックすることができないこと、スクリューシャフト１２７を９０度回動させる際の、スクリューシャフト１２７の昇降ストローク及び所要時間が大きくなること、等の問題がある。
【０００６】
本発明の目的は、プレスのスライドロック装置において、スライドを任意の昇降位置でロック可能にすること、スクリューシャフトを回動させる際のスクリューシャフトの昇降ストローク及び所要時間を低減すること、等である。
【０００７】
【課題を解決するための手段】
請求項１のプレスのスライドロック装置は、プレスのプレス本体に対しスライドをロック解除可能にロックして、スライドの下降移動を規制する為のスライドロック装置において、プレス本体側に固定されるロック装置本体と、ロック装置本体に挿通状に配設され鉛直に延びるスクリューシャフトと、スクリューシャフトの下端部に設けられ、スクリューシャフトが非係止位置のときにスライド側に形成された係止部の係止孔を挿通可能で且つスクリューシャフトが非係止位置から所定角度回転した係止位置のときに係止部を係止する係止部材と、ロック装置本体に回転自在に装着されスクリューシャフトに螺合されたナット部材と、ナット部材を回転駆動する回転駆動手段とを有し、スクリューシャフトを昇降駆動する為の昇降駆動機構と、係止部材が係止位置にあるとき、スクリューシャフト下降方向へのナット部材の回転開始時にナット部材の回転力によりスクリューシャフトを前記所定角度回動させて係止部材を非係止位置へ回転させると共に、係止部材が非係止位置にあるとき、スクリューシャフト上昇方向へのナット部材の回転開始時にナット部材の回転力によりスクリューシャフトを所定角度回動させて係止部材を係止位置へ回転させるツイスト機構を備えたものである。
【０００８】
昇降駆動機構により、非係止位置の状態でスクリューシャフトを昇降駆動して、係止部材で係止部を係止可能な位置、即ち、スクリューシャフトを係止孔に挿通させ係止部材を係止部より僅かに下側へ位置させた状態から、昇降駆動機構の回転駆動手段によりナット部材を回転させると、ナット部材の回転開始時にナット部材の回転力により、ナット部材とスクリューシャフト間に作用する摩擦力を介して、スクリューシャフトが所定角度回動されて係止位置になり、係止部材により係止部が係止されてプレス本体に対しスライドがロックされる。即ち、ツイスト機構を、係止部材が係止位置にあるとき、スクリューシャフト下降方向へのナット部材の回転開始時や、係止部材が非係止位置にあるとき、スクリューシャフト上昇方向へのナット部材の回転開始時にナット部材の回転力によりスクリューシャフトを前記所定角度回動させるように構成したので、スライドを任意の昇降位置でロックすることが可能になり、スクリューシャフトを回動させる際のスクリューシャフトの昇降ストローク及びその所要時間を低減することができる。
【０００９】
請求項２のプレスのスライドロック装置は、請求項１の発明において、前記ツイスト機構は、スクリューシャフトの外周面に軸方向向きに形成されたストレートのキー溝と、このキー溝に摺動自在に係合するとともにロック装置本体に相対回動可能に支持されたキー部材と、ロック装置本体に設けられキー部材の前記所定角度以上の回転を規制する回転規制部とを備えたものである。即ち、キー部材及び回転規制部を設けることで、ナット部材の回転力により回動されるスクリューシャフトを、係止位置と非係止位置とに簡単・確実に切換え可能になる。
【００１０】
請求項３のプレスのスライドロック装置は、請求項２の発明において、前記ロック装置本体にナット部材を回転自在に支持するラジアルベアリングと、ラジアルベアリングのアウタレースを上方へ付勢する付勢部材とを設け、前記付勢部材による付勢を介してインナレースをロック装置本体から僅かに浮上させてナット部材へ当接させたものである。即ち、スライドロック装置でスライドをロックしている際に、スライドの下降による荷重がスクリューシャフトに作用した場合、その荷重はナット部材とインナレースを介してロック装置本体で支持されるので、ラジアルベアリングが破損するのを確実に防止することができる。
【００１１】
請求項４のプレスのスライドロック装置は、請求項３の発明において、前記スクリューシャフトと係止部材との連結部に、その連結部を所定荷重以上で破断させる破断促進部を設けたものである。即ち、プレス本体に対してスライドがロックされている状態で、プレスを誤操作してプレスのメインモータの駆動力でスライドが下降した場合、スライドロック装置には大きな荷重が作用するが、そのような大きな所定荷重以上で破断促進部を破断させることで、ロック装置本体やロック装置本体に付設されている種々の機構及び部材が破損するのを防止できる。
【００１２】
【発明の実施の形態】
以下、本発明の実施の形態について図面を参照して説明する。
本実施形態のプレスのスライドロック装置は、プレスのプレス本体に対しスライドをロック解除可能にロックして、スライドの下降移動を規制する為のスライドロック装置に、本発明を適用した場合の一例である。
【００１３】
図１に示すように、プレス１は、基台２、クランク式駆動機構を有するクラウン３（プレス本体に相当する）、基台２とクラウン３間に設けられたアップライト４、アップライト４に昇降自在にガイドされ駆動機構で昇降駆動されるスライド５を有し、クラウン３の左右両端部に、１対のプレスのスライドロック装置６（以下、スライドロック装置という）が装着され、スライド５の左右両端面には、係止孔８を有する１対の係止部７が夫々設けられている。
【００１４】
図２〜図７に示すように、スライドロック装置６は、クラウン３に固定されるロック装置本体１０と、ロック装置本体１０に挿通状に配設された鉛直に延びるスクリューシャフト１１と、スクリューシャフト１１の先端部に設けられた係止部材１２と、スクリューシャフト１１を昇降駆動する為の昇降駆動機構１３と、スクリューシャフト１１を９０度回動させる為のツイスト機構１４等で構成されている。
【００１５】
ロック装置本体１０は、平面視円形の上板２０、底板部材２１、上板２０と底板部材２１間に設けられた筒状部材２２、上板２０の上端部に内嵌にて固定された蓋部材２３からなり、上板２０と底板部材２１とは複数のボルト２４で連結され、筒状部材２２は上板２０と底板部材２１間に挟着されている。蓋部材２３には、スクリューシャフト１１の下限位置を検知可能な近接スイッチ２６と、スクリューシャフト１１の係止位置と非係止位置とを検知可能な１対の近接スイッチ２７が装着されている。
【００１６】
上板２０、底板部材２１、蓋部材２３には、同心状の孔部２０ａ，２１ａ，２３ａが形成され、蓋部材２３の内部は凹部２３ｂに形成されている。ロック装置本体１０の内部において、孔部２０ａにはリング部材６５がベアリング６７を介して回転自在に装着され、筒状部材２２にはナット部材４０が上下１対のラジアルベアリング４３，４４を介して回転自在に装着されている。ナット部材４０の上部はスクリューシャフト１１に螺合されるネジ部４１に形成され、下部はスクリューシャフト１１が挿通可能な筒部４２に形成され、その筒部４２は孔部２１ａ内を挿通して下方へ延び、その先端部に回転駆動機構５０のギヤ５６が固着されている。尚、底板部材２１の下面には、ギヤ５５，５６を覆うカバー部材５７が装着されている。
【００１７】
スクリューシャフト１１は、孔部２３ａ内とリング部材６５を挿通し、ナット部材４０のネジ部４１に螺合して筒部４２を挿通して下方へ延びている。ここで、スクリューシャフト１１は、ナット部材４０の回転力によるナット部材４０とスクリューシャフト１１間に作用する摩擦力を介して回動可能にネジ部４１に螺合されている。スクリューシャフト１１の外周面には、ストレートのキー溝６０が軸方向向きに形成され、このキー溝６０にリング部材６５に固着されたキー部材６１が摺動自在に係合している。尚、スクリューシャフト１１の上端部には、外周側面に近接スイッチ２６で検出可能な被検知部を有するヘッド部材３０が固定されている。
【００１８】
筒状部材２２の内部において底板部材２１の上端部に形成された環状溝４９には、リング４７が上下摺動自在に内嵌され、周方向４等分位置に配設された４つのスプリング４８（付勢部材に相当する）で上方へ付勢されている。ラジアルベアリング４４のアウタレース４５は、リング４７を介してスプリング４８により上方へ付勢され、スプリング４８による付勢を介してインナレース４６が、ロック装置本体１０の底板部材２１から僅かに浮上させてナット部材４０の係止部４０ａに当接されている。
【００１９】
図８に示すように、スクリューシャフト１１の下端部に設けられた係止部材１２は平面視小判形に形成され、スクリューシャフト１１が非係止位置のときにスライド５側の係止部７の係止孔８を挿通可能で、且つスクリューシャフト１１が非係止位置から９０度回転した係止位置のときに係止部７を係止するように構成されている。係止部材１２にはボルト孔３５が形成され、このボルト孔３５からボルト３６がスクリューシャフト１１に螺合され、係止部材１２がスクリューシャフト１１の先端部に連結されている。ボルト３６のボルト孔３７内部に位置する部分は、ネジ部３８よりやや小径の軸部３７に形成され、この軸部３７が所定荷重以上で破断する破断促進部３４をなしている。尚、スライド５の係止部７には係止部材１２の位置を検知可能な近接スイッチ３９が装着されている。
【００２０】
図５、図６に示すように、スクリューシャフト１１を昇降駆動する為の昇降駆動機構１３は、ロック装置本体１０に回転自在に装着されたナット部材４０と、ナット部材４０を回転駆動する回転駆動機構５０等で構成されている。回転駆動機構５０は、駆動機（図示略）からの駆動力を入力する入力軸５１、入力軸５１の先端に固着された傘歯ギヤ５２、傘歯ギヤ５２に噛合し鉛直の従動軸５４の上端部に固着された傘歯ギヤ５３、従動軸５４の下端部に固着されたギヤ５５、このギヤ５５に噛合しナット部材４０の先端に固着されギヤ５６を有し、駆動機を駆動すると、複数のギヤを介してナット部材４０が回動され、ナット部材４０に螺合されたスクリューシャフト１１が昇降駆動される。
【００２１】
図５〜図７に示すように、スクリューシャフト１１を９０度回動させる為のツイスト機構１４は、スクリューシャフト１１のキー溝６０、このキー溝６０に摺動自在に係合するするとともにロック装置本体１０に相対回動可能に支持されたキー部材６１、ロック装置本体１０に設けられキー部材６１の９０度以上の回転を規制する１対の回転規制部６２ａ，６２ｂとを有する。キー部材６１はリング部材６５を介してロック装置本体１０に回転自在に支持され、キー部材６１の外周側部分はロック装置本体１０の切欠き部６６に移動自在に嵌まり、この切欠き部６６の両端部が回転規制部６２ａ，６２ｂに夫々形成されている。
【００２２】
スライドロック装置６の作用について説明すると、昇降駆動機構１３により、図６においてナット部材４０が矢印ａの方向へ回動されると、キー部材６１が回転規制部６２ａにより回転規制され、スクリューシャフト１１は非係止位置の状態を保持して下降駆動される。一方、昇降駆動機構１３により、図６においてナット部材４０が矢印ｂの方向へ回動されると、ツイスト機構１４により、ナット部材４０の回転開始時にナット部材４０の回転力により、ナット部材４０とスクリューシャフト１１間に作用する摩擦力を介して、スクリューシャフト１１が９０度回動された後、キー部材６１が回転規制部６２ｂにより回転規制され、スクリューシャフト１１は係止位置の状態を保持して上昇駆動される。
【００２３】
即ち、任意の昇降位置でスライド５をロックする場合、昇降駆動機構１３によりスクリューシャフト１１を下降駆動して、スクリューシャフト１１を係止孔８に挿通させ係止部材１２を係止部７より僅かに下側へ位置させた後、昇降駆動機構１３により、スクリューシャフト１１を僅かに上昇させると、前記ツイスト機構１４により、スクリューシャフト１１が９０度回動されて係止位置になり、係止部材１２でスライド５の係止部７が係止されて、クラウン３に対してスライド５がロックされる。
【００２４】
このスライドロック装着６によれば、ツイスト機構１４を、ナット部材４０の回転開始時にナット部材４０の回転力によりスクリューシャフト１１を９０度回動させるように構成したので、スライド５を任意の昇降位置でロックすることが可能になり、スクリューシャフト１１を９０度回動させる際のスクリューシャフト１１の昇降ストローク及び所要時間を低減することができる。
また、ツイスト機構１４は、スクリューシャフト１１のキー溝６０と、このキー溝６０に摺動自在に係合するとともにロック装置本体１０に相対回動可能に支持されたキー部材６１と、ロック装置本体１０に設けられキー部材６１の９０度以上の回転を規制する１対の回転規制部６２ａ，６２ｂ等からなる非常に簡単な構造であるので、製作コスト的に非常に有利であるとともに、ナット部材４０の回転力により回動されるスクリューシャフト１１を、係止位置と非係止位置とに簡単・確実に切換えることが可能になる。
【００２５】
更に、ロック装置本体１０にナット部材４０を回転自在に支持するラジアルベアリング４４と、ラジアルベアリング４４のアウタレース４５を上方へ付勢するスプリング４８とを設け、スプリング４８による付勢を介してインナレース４６をロック装置本体１０から僅かに浮上させてナット部材４０へ当接させたので、スライド５の下降によりスクリューシャフト１１を介してナット部材４０に荷重が作用した場合、ナット部材４０はインナレース４６を介してロック装置本体１０に支持されるので、ラジアルベアリング４４の破損を防止できる。
【００２６】
また、スクリューシャフト１１と係止部材１２との連結部に、その連結部を所定荷重以上で破断させる破断促進部３４を設けたので、クラウン３に対してスライド５がロックされている状態で、プレス１を誤操作してプレス１のメインモータの駆動力でスライド５が下降した場合、スライドロック装置６には大きな荷重が作用するが、そのような大きな所定荷重以上で破断促進部３４を破断させることで、ロック装置本体１０やロック装置本体１０に付設されている種々の機構及び部材が破損するのを防止することができる。
【００２７】
尚、前記回転規制部６２ａ，６２ｂとは別に、ロック装置本体１０に対するキー部材６１の移動を規制する為に、キー部材６１を固定解除可能に固定する固定手段を設けてもよい。この場合、スクリューシャフト１１を非係止位置又は係止位置に保持させた状態で昇降させることが可能になる。
また、上側のラジアルベアリング４３において、付勢部材によりアウタレースを上方へ付勢し、付勢部材による付勢を介してインナレースをロック装置本体１０から僅かに浮上させてナット部材４０へ当接させて装着してもよい。
【００２８】
【発明の効果】
請求項１のプレスのスライドロック装置によれば、ロック装置本体、スクリューシャフト、係止部材、スクリューシャフトを昇降駆動する為の昇降駆動機構、スクリューシャフトを回動させるツイスト機構を備え、ツイスト機構を、スクリューシャフト下降方向へのナット部材の回転開始時や、スクリューシャフト上昇方向へのナット部材の回転開始時にナット部材の回転力により、ナット部材とスクリューシャフト間に作用する摩擦力を介して、スクリューシャフトを前記所定角度回動させるように構成したので、スライドを任意の昇降位置でロックすることが可能になり、スクリューシャフトを回動させる際のスクリューシャフトの昇降ストローク及び所要時間を低減することができる。
【００２９】
請求項２のプレスのスライドロック装置によれば、請求項１と同様の効果を奏するが、前記ツイスト機構は、スクリューシャフトの外周面に軸方向向きに形成されたストレートのキー溝と、このキー溝に摺動自在に係合するとともにロック装置本体に相対回動可能に支持されたキー部材と、ロック装置本体に設けられキー部材の前記所定角度以上の回転を規制する回転規制部とを備えたので、ナット部材の回転力により回動されるスクリューシャフトを、係止位置と非係止位置とに簡単・確実に切換え可能になる。
【００３０】
請求項３のプレスのスライドロック装置によれば、請求項２と同様の効果を奏するが、前記ロック装置本体にナット部材を回転自在に支持するラジアルベアリングと、ラジアルベアリングのアウタレースを上方へ付勢する付勢部材とを設け、前記付勢部材による付勢を介してインナレースをロック装置本体から僅かに浮上させてナット部材へ当接させたので、スライドロック装置でスライドをロックしている際に、スライドの下降により荷重がスクリューシャフトに作用した場合、その荷重はナット部材とラジアルベアリングのインナレースを介してロック装置本体で支持されるので、ラジアルベアリングの破損を防止できる。
【００３１】
請求項４のプレスのスライドロック装置によれば、請求項３と同様の効果を奏するが、スクリューシャフトと係止部材との連結部に、その連結部を所定荷重以上で破断させる破断促進部を設けたので、プレス本体に対してスライドがロックされている状態で、プレスを誤操作してプレスのメインモータの駆動力でスライドが下降した場合、スライドロック装置には大きな荷重が作用するが、そのような大きな所定荷重以上で破断促進部を破断させることで、ロック装置本体やロック装置本体に付設されている種々の機構及び部材が破損するのを防止できる。
【図面の簡単な説明】
【図１】本実施形態に係るスライドロック装置を装着したプレスの側面図である。
【図２】スライドロック装置の側面図である。
【図３】スライドロック装置の平面図である。
【図４】スライドロック装置の底面図である。
【図５】図３のV −V 線断面図である。
【図６】図５のVI−VI線断面図である。
【図７】図５のVII −VII 線断面図である。
【図８】スクリューシャフト先端部と係止部材の縦断面図である。
【図９】従来のスライドロック装置の縦断面図である。
【図１０】従来のスライドロック装置の縦断面図である。
【符号の説明】
１              プレス
３              クラウン
５              スライド
６              スライドロック装置
７              係止部
８              係止孔
１０            ロック装置本体
１１            スクリューシャフト
１２            係止部材
１３            昇降駆動機構
１４            ツイスト機構
３４            破断促進部
４０            ナット部材
４４            ラジアルベアリング
４５            アウタレース
４６            インナレース
４８            スプリング
５０            回転駆動機構
６０            キー溝
６１            キー部材
６２ａ，６２ｂ  回転規制部
【図１】
0003784032.tif 000002
【図２】
0003784032.tif 000003
【図３】
0003784032.tif 000004
【図４】
0003784032.tif 000005
【図５】
0003784032.tif 000006
【図６】
0003784032.tif 000007
【図７】
0003784032.tif 000008
【図８】
0003784032.tif 000009
【図９】
0003784032.tif 000010
【図１０】
0003784032.tif 000011